(57)【要約】      （修正有）【課題】エプロンをハンガーに吊るしたときに、エプロンが一枚の布状の格好をしていることから、エプロンそのものの形状やデザインなどを上手に見せることができるハンガー補助具を提供する。【解決手段】エプロンをハンガーを用いて吊るしたときに、ハンガーと組合せて、着脱可能な補助具を用いることで、エプロンを展開して広げた状態で見せることができるようになるので、室内で保管したり、あるいは販売店でのディスプレイ時にも、エプロンのデザインや形状を分かりやすく見せることができるようになる。【選択図】図１
0003169996.tif 000002
【実用新案登録請求の範囲】
【請求項１】
エプロン、前掛けを専用にかけるものであって、一般的に使用されている吊下げ部と肩部を有するハンガーに装着される骨組み部と、この骨組み部の上部に、前記ハンガーに装着するフックを設けてなることを特徴とするハンガー補助具。
【請求項２】
エプロン、前掛けを専用にかけるものであって、一般的に使用されている吊下げ部と肩部を有するハンガーに装着される略三角形状の骨組み部と、この略三角形状の骨組み部の頂点部を折り曲げ、前記ハンガーの吊下げ部にひっかけるフックを設けてなることを特徴とするハンガー補助具。
【考案の詳細な説明】
【技術分野】
【０００１】  本考案はエプロン専用のハンガーに関するものである。
【背景技術】
【０００２】  エプロン、前掛けは家事や介護など、あらゆるところで使用されている。デザイン時にも白色のオーソドックスなものから、最近ではファッショナブルな色彩や形状を有したものまで取り揃えがなされており、単に家事の時にだけ着用するのではなく、室内着の一部として日常から身に着ける習慣にまで、エプロンの着用がなされているといってもよいかもしれない。
しこも今後は、女性だけが着用して家事を行うだけでなく、最近では男性も着用して家事や事務などを行うなど時に着用するようになっている。【０００３】  エプロンは上述するように普段着の上から着用することで、普段着の汚れを防止し、またエプロンには気の利いた場所にポケットなどが付けられていることから、機能的にも便利なものとして認識されている。
一般的には一枚布に、腰付近や首まわり、背中付近に留め状の帯があり、主には身体の前身部にかけて着用する形状をなしているもので、背中部分の生地は不要とされた格好となっている。
【先行技術文献】
【０００４】
【特許文献１】特開２００３−２１０３０５号公報
【考案の概要】
【考案が解決しようとする課題】
【０００５】  上述するように、エプロンは身体の前身部を中心として被うように着用することから、一般的には一枚布を身体の前身部を中心に側面に一部にかけて巻きつけるように、着用するものである。【０００６】  従って、前身部を中心に被う生地を腰付近や首回り、背中付近に留め状の帯で、身体にフィットさせて着用するものである。このように、エプロンは一枚布となっているので、このエプロンを自宅でしまう場合には、壁などのフックや係止部に吊り下げる格好で保管や収納がなされていると思われる。そのため、エプロンの形状やデザインを見せる状態での保管は難しい。【０００７】  一方、エプロンを販売するなどして取扱うお店では、形状やデザインをしっかり見せる必要性があることから、マネキンなどを用いて、エプロンを立体的に、展開した状態でディスプレイする工夫がなされている。図５に示すのが一般的によく目にするディスプレイ方法だと思われる。【０００８】  これは、上述するようにエプロンが身体の前身部だけを被う一枚布であることから、通常の衣類をかけるようなハンガーを用いた場合には、エプロンを吊り下げるといった形態となるために、エプロンの形状やデザインを十分に知らしめることができないために、マネキンのような立体的なモデルを用いなければ、エプロンそのものの良さを見せることができないために、ディスプレイ方法を苦労されているというのが現状である。【０００９】  なお、従来の技術として特開特開２００３−２１０３０５号公報（特許文献１）の記載の衣服用ハンガーを利用した収納袋体なるものが公知として知られている。
しかし、この特許文献１では、内部に種々の物品を収納、保管するために、襟部に相当する位置に開口部４を、裾部に相当する位置に収納部分５をそれぞれ形成した衣服形状を模した収納袋体１と、収納袋体１の両肩部に相当する位置に形成した、衣服用ハンガー２を掛け止める掛止部３とを備えたものである。【００１０】  要するに、実用的に使う小物収納袋を見た目にもすっきりさせ、装飾性を出せるように工夫したもので、洗濯機の傍やキッチン内で主に使用され、リビングルームのような人目につきやすい場所での使用にも適合するように、ハンガーの内部に収納部を設けた、衣類をかける目的と、その内部に小物を収納する目的の両方を兼ね備えることで、小物収納袋内に小物類をたくさん入れた場合、その袋表面が膨らみや、外観上の審美性を目立たなくさせるものである。
【課題を解決するための手段】
【００１１】  本考案は、特許文献１に記載される収納目的のものではなく、エプロンの形状やデザインを十分に知らしめるために、マネキンのようなその都度、準備に高価な費用を必要とする立体モデルを使うことなく、ごく通常一般的に用いられているハンガーを使って、このハンガーに着脱を可能とした骨組み部、特に理想的には、略三角形状の補助具を取り付けることで、エプロンを立体的に表現することが簡単に行えることで、エプロンそのものの形状やデザインを十分に見せることができるようになる。【００１２】  従って、上述の課題を解決するため請求項１に記載のハンガー補助具は、エプロン、前掛けを専用にかけるものであって、一般的に使用されている吊下げ部と肩部を有するハンガーに装着される骨組み部と、この骨組み部の上部に、前記ハンガーに装着するフックを設けてなることを特徴とするものである。【００１３】  また、請求項２の記載には、本考案の理想的なハンガー補助具は、エプロン、前掛けを専用にかけるものであって、一般的に使用されている吊下げ部と肩部を有するハンガーに装着される略三角形状の骨組み部と、この略三角形状の骨組み部の頂点部を折り曲げ、前記ハンガーの吊下げ部にひっかけるフックを設けてなることを特徴とするものである。
【図面の簡単な説明】
【００１４】
【図１】  本考案の補助具の概念図である。
【図２】  本考案の補助具を一般的なハンガーに取り付ける際の状態を拡大して示した図である。
【図３】  本考案の補助具を一般的なハンガーに取り付ける際の状態を拡大して示した図である。
【図４】  本考案の補助具を他の実施例でハンガーの肩部に取り付ける際の実施例の状態を拡大して示した図である。
【図５】  従来例として今まで使われているモデルを用いてエプロンをディスプレイした概念図である。
【考案を実施するための形態】
【００１５】  本考案の実施形態を図面に基づいて説明する。図１は本考案の補助具（１）を説明する概念図である。なお、説明上補助具（１）は強調した描画している。
エプロン（５）は、おおよそ一枚の生地で身体の前身部を被うようにして使用するために、例えばエプロン（５）を家庭内で保管、収納する場合には、エプロン（５）の一部をハンガー（４）にひっかけて吊るすようにしてしまっておくことになる。
【００１６】  このことは、一方でエプロン（５）を販売する店舗などでは、エプロン（５）の形状やデザインを知らしめるために、図３に示すようなマネキンや立体モデルを利用してディスプレイをしている。それは言うまでもなく、エプロン（５）の特徴や色柄、デザインを分かりやすく見せるためのもので、このようなマネキンや立体モデルを使わなければならないのである。
【００１７】  そこで、図１に示すような本考案の一般のハンガー（４）に着脱できるような補助具を取り付けることで、従来図に示すようなエプロン（５）を展開してディスプレイすることができるようになる。
【００１８】  本考案のようなハンガー（４）に着脱して取付けることのできる補助具を用いることで、マネキンや立体モデルの使用に比べて、大幅にコストの削減をできることは当然ながら、非常に簡単な材料で補助具（１）を製作することで、補助具（１）の保管にも場所も取らず、必要なとき必要な数量を用意できるという利点も備えている。
【００１９】  また、本考案の特徴は、一般的に使用されている吊下げ部（２）と肩部（３）を有するハンガー（４）に着脱自在に略三角形状の補助具（１）を組合せて構成されているので、前記ハンガー（４）の肩部（３）と補助具（１）とにより、丁度エプロン（５）の内側に沿ってエプロン（５）を展開するようにディスプレイできることから、意図も簡単にエプロン（５）を綺麗に見せることができる。そのために、エプロン（５）の形状やデザイン、色柄などを誰の目にも分かりやすく見せることができる。
【００２０】  従って、エプロン（５）を展開できるものであれば、図１に示すように本考案の補助具（１）は略三角形と三辺を有する必要はなく、エプロン（５）の左右（５ａ５ｂ）が広げられる効果を有するものであれば事足りることは言うまでもない。
【００２１】  さて、図２に示すのは、本考案の補助具（１）とハンガー（４）との組合せを説明する拡大図である。図２で（ａ−１）に示すように、ハンガー（４）の吊下げ部（２）のに付近に補助具（１）が装着される。補助具（１）は、骨組み部（Ｈ）と、この骨組み部（Ｈ）の上部に、前記ハンガー（４）に装着するフック（Ｆ）を設けてなる。
【００２２】  フック（Ｆ）は、略三角形状の骨組み部（Ｈ）の頂点を曲げて形成してなるもので、（ａ−１）の正面側庄着説明図に示されるように前記ハンガー（４）の吊下げ部（２）に簡単にひっかけられるようになっている。
【００２３】  また、ハンガー補助具（１）のフック（Ｆ）は、図３の（ｂ−１）に示されるように略三角形状の骨組み部（Ｈ）の頂点を２回曲げて形成してなるものであってもよく、ハンガー（４）の上部を矜持するものであってもよい（（ｂ−２）正面側装着説明図及び（ｂ−３）側面側装着説明図参照）。
【００２４】  また更に、ハンガー補助具（１）の骨組み部（Ｈ）は、図４の（ｃ−１）に示されるように、三角形状に限定されることなく、さらにフック（Ｆ）もハンガーハンガー（４）の肩部（３）に装着されるものであってもよい。（（ｃ−２）正面側装着説明図参照）。
【００２５】  これにより、ハンガー（４）形状が多少変わる場合でも補助具（１）の取付けが多少変わるものの、総合的には一般的に使われているハンガー（４）と脱着できるような補助具（１）が取付けられているのが本考案の最大の特徴である。
【００２６】  図２の場合には、略三角形状の骨組み部（Ｈ）の頂点を１回だけ曲げて形成してなり、簡単に製造でき、簡単に前記ハンガー（４）の吊下げ部（２）に簡単にひっかけられきわめて取り扱いが簡単になる。
【００２７】  図３の場合には、補助具（１）のハンガー（４）との取付け部分は、ハンガー（４）の厚み方向の表裏にかかるように、補助具（４）のフック（Ｆ）は２回折り曲げられており、この曲げにより補助部（１）とハンガー（４）とが矜持され連結されている。そのため、この取付け部はハンガー（４）の板厚みに対してしっかり挟み込めるように取付けられていることが望ましい。
【００２８】  また同様に図４の場合は、補助具（１）のハンガー（４）との取付け部分は、ハンガー（４）の肩部（３）を矜持されるようなっており、さらに骨組み部（Ｈ）も長方形状、や自由形状に形成されることは言うまでもない。さらにフック（Ｆ）は、この取付け部はハンガー（４）の肩部（３）の板厚みに対してしっかり挟み込めるように取付けられていることが望ましい。
【００２９】  なお、補助部（１）は上述のとおり、特にその材料に制限を設けるものでは無いが、加工が容易な金属や取扱いが用意で軽量な線材などで加工されたものなどで提供できる。
【００３０】  なお、本考案ではエプロンが本来一枚の生地で、身体の前身部だけを被うものから、エプロンの形状やデザイン、色柄などを立体的なモデルに着させることで見た目をよくしたディスプレイが必要であることから、その簡単な方法として本考案の詳細を記載している。そのために、特に理想的な実施例として略三角形の補助具（１）として提案しているが、エプロンの外形などをより綺麗に、そしてよりリアルに表現する場合には、女性の身体をかたち取った丸みのある補助具（１）の形状にすることも、本考案の考えの中に含むことは言うまでもない。
【００３１】  以上のべたように、本考案によるハンガー補助具であれば、通常のハンガーに必要な時に簡単に装着でき、専用のエプロンとうのハンガーを製造しなくてもよく産業上きわめて有益なものが提供できる。
【符号の説明】
【００３２】１・・・補助具
２・・・（ハンガーの）吊下げ部
３・・・（ハンガーの）肩部
４・・・ハンガー
５・・・エプロン
５ａ、５ｂ・・エプロンの左右
（Ｈ）・・・骨組み部
（Ｆ）・・・フック
【図１】
0003169996.tif 000003
【図２】
0003169996.tif 000004
【図３】
0003169996.tif 000005
【図４】
0003169996.tif 000006
【図５】
0003169996.tif 000007
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
エプロン、前掛けを専用にかけるものであって、吊下げ部と肩部を有するハンガーに装着され、金属などの線材で略三角形状、長方形状や自由形状に形成されてなる骨組み部と、この骨組み部の上部に、前記ハンガーに装着するフックを設けてなることを特徴とするハンガー補助具。
【請求項２】
エプロン、前掛けを専用にかけるものであって、吊下げ部と肩部を有するハンガーに装着される略三角形状の骨組み部と、この略三角形状の骨組み部の頂点部を折り曲げ、前記ハンガーの吊下げ部にひっかけるフックを設けてなることを特徴とするハンガー補助具。